(57)【要約】【課題】  監視機能が作動不能となるような不正操作が容易に行えない構成を有するとともに、基板ケースだけでなく周囲の部材が取り外された場合にも確実に検出する。【解決手段】遊技機の動作を制御する制御部品を内包する制御部材２０と、この制御部材２０に外付けされる外設部材３０、８０とを備えた制御ユニット１０であって、制御部材２０と外設部材３０、８０との間が外されたことを検出する監視手段５０を備え、監視手段５０は、制御部材２０における複数の係合部２３、２５１と外設部材３０、８０における複数の被係合部３１２、８４が係合した状態で、該複数の係合部２３、２５１と該複数の被係合部３１２、８４とを経由するように配設された検出配線部５０ａと、制御部材２０と外設部材３０、８０との間が離間して検出配線部５０ａが分断したことを検出する検出部６０とを有し、検出配線部５０ａが経由する複数の被係合部３１２、８４が、外設部材３０、８０において、互いに離間した位置に形成された。【選択図】  図７
2012139250.tif 000002
【特許請求の範囲】
【請求項１】
遊技機の動作を制御する制御部品を内包する制御部材と、この制御部材に外付けされる外設部材とを備えた制御ユニットであって、
前記制御部材と前記外設部材との間が外されたことを検出する監視手段を備え、
前記制御部材は、前記外設部材に係合する係合部を複数備え、
前記外設部材は、前記係合部に係合される被係合部を複数備え、
前記監視手段は、
前記制御部材における複数の係合部と前記外設部材における複数の被係合部が係合した状態で、該複数の係合部と該複数の被係合部とを経由するように配設された検出配線部と、
前記制御部材と前記外設部材との間が離間して前記検出配線部が分断したことを検出する検出部とを有し、
前記検出配線部が経由する複数の前記被係合部が、前記外設部材において、互いに離間した位置に形成された
ことを特徴とする制御ユニット。
【請求項２】
前記制御部材は、前記遊技機の動作を制御する制御基板を内包する基板ケースを有し、
前記外設部材は、前記遊技機の筐体内面に固定されるとともに前記基板ケースを脱離不能に支持するケースホルダーを有し、
前記監視手段の前記検出配線部は、前記基板ケースにおける複数の係合部と前記ケースホルダーにおける複数の被係合部が係合した状態で、該複数の係合部と該複数の前記被係合部とを経由するように配設された
ことを特徴とする請求項１記載の制御ユニット。
【請求項３】
前記制御部材は、前記遊技機の動作を制御する制御基板を内包する基板ケースを有し、
前記外設部材は、前記遊技機の動作を制御する制御部品を内包するとともに前記基板ケースに外付けされる付設部材を有し、
前記監視手段の前記検出配線部は、前記基板ケースにおける複数の係合部と前記付設部材における複数の被係合部が係合した状態で、該複数の前記係合部と該複数の前記被係合部とを経由するように配設された
ことを特徴とする請求項１記載の制御ユニット。
【請求項４】
前記制御部材は、前記遊技機の動作を制御する制御基板を内包する基板ケースを有し、
前記外設部材は、前記遊技機の筐体内面に固定されるとともに前記基板ケースを脱離不能に支持するケースホルダーと、前記遊技機の動作を制御する制御部品を内包するとともに前記基板ケースに外付けされる付設部材とを有し、
前記基板ケースは、前記ケースホルダーに係合するホルダー側係合部を複数備えるとともに、前記付設部材に係合する付設側係合部を複数備え、
前記監視手段の前記検出配線部は、前記基板ケースにおける複数のホルダー側係合部と前記ケースホルダーにおける複数の被係合部が係合し、かつ、前記基板ケースにおける複数の付設側係合部と前記付設部材における複数の被係合部が係合した状態で、前記基板ケースにおける複数の前記ホルダー側係合部及び前記付設側係合部、前記ケースホルダーにおける複数の前記被係合部、前記付設部材における複数の前記被係合部を経由するように配設された
ことを特徴とする請求項１記載の制御ユニット。
【請求項５】
前記付設部材が、キー操作によって前記制御基板にオン信号を出力し当該制御基板を設定変更可能な状態にする設定キーユニットを有した
ことを特徴とする請求項３又は４記載の制御ユニット。
【請求項６】
前記制御部材を前記外設部材に脱離不能に固定する固定ピンを備え、
前記検出配線部は、前記制御部材の前記係合部と前記外設部材の前記被係合部と前記固定ピンとを経由して配設された
ことを特徴とする請求項１〜５のいずれか一項に記載の制御ユニット。
【請求項７】
前記係合部又は前記被係合部の一方が、凸状に形成された係合凸部からなり、他方が、凹状に形成された係合凹部からなる
ことを特徴とする請求項１〜６のいずれか一項に記載の制御ユニット。
【請求項８】
前記検出部が搭載された基板が、前記外設部材のうち前記遊技機の筐体内面に対向する面に取り付けられた
ことを特徴とする請求項１〜７のいずれか一項に記載の制御ユニット。
【請求項９】
前記検出部が、時間を計る計時手段と、前記不正行為が検出された日時を前記計時手段から取得する検出日時取得部と、取得された日時を記憶する記憶部とを有した
ことを特徴とする請求項１〜８のいずれか一項に記載の制御ユニット。
【請求項１０】
前記検出部が、前記不正行為が検出されると点灯又は点滅するランプ表示部を有した
ことを特徴とする請求項１〜９のいずれか一項に記載の制御ユニット。
【請求項１１】
前記検出部が、前記不正行為が検出されたこと、及び／又は、検出された回数を表示するカウント表示部を有した
ことを特徴とする請求項１〜１０のいずれか一項に記載の制御ユニット。
【請求項１２】
遊技機の動作を制御する制御部品を内包する制御部材と、この制御部材に外付けされる外設部材とを有する制御ユニットを備えた遊技機であって、
前記制御ユニットが、前記請求項１〜１１のいずれかに記載の制御ユニットからなる
ことを特徴とする遊技機。
【発明の詳細な説明】
【技術分野】
【０００１】
本発明は、遊技機の動作を制御する制御基板を収容した基板ケースを遊技機から取り外し、大量の出玉を不正に獲得し得る制御基板を収容した基板ケースに取り替える不正行為を検出する基板ユニット監視回路を設けた制御ユニットと、この制御ユニットを備える遊技機に関し、特に、基板ケースの取り外しだけでなく、この基板ケースの周囲に設けられた付設の部材を不正に取り外す行為を検出し、この検出した不正の事実を確実に記憶して表示する制御ユニット及び遊技機に関する。
【背景技術】
【０００２】
一般に、スロットマシンやパチンコなどの遊技機では、該遊技機の動作を制御するＩＣやＲＯＭなどの電子部品を実装した制御基板が備えられている。
この制御基板は、不正改造の対象となり易いため、透明な二つのケースの間に挟んで収容するとともに、このケースを開封不能に固定している。
ところが、悪質な不正行為の場合は、制御基板が収容された基板ケースをそのまま取り外し、遊技機を不正に制御する制御基板が収容された基板ケースに取り替えることが行われていた。
【０００３】
そこで、このような基板ケースの不正な取り替えを検出する技術が提案されている。
例えば、遊技機の筐体内側に台座部材を固定し、基板ケースを保持する保持部材を、その台座部材に回動可能に連結し、台座部材の底部両端に監視スイッチを配設し、基板ケースを保持部材に装着したときに、監視スイッチの出没ピンが押下されてＯＮ状態となるものがある（例えば、特許文献１参照。）。
これによれば、監視スイッチがＯＦＦ状態となったことを検知することで、基板ケースが保持部材から外されたことを検出することができる。
【先行技術文献】
【特許文献】
【０００４】
【特許文献１】特開２０１０−６８９６３号公報
【発明の概要】
【発明が解決しようとする課題】
【０００５】
しかしながら、特許文献１に記載の技術においては、以下のような弊害があった。
例えば、台座部材と保持部材の連結部分が解除され、基板ケースと保持部材が一体の状態で台座部材から取り外されると、監視スイッチがＯＦＦ状態にならず、ＯＮ状態のままで維持され、この状態で、不正改造された制御基板やこれを収容する基板ケースと取り替えられるおそれがあった。このため、基板ケースだけでなく、周囲の部材の取り外しについても、監視することが必要とされていた。
また、ゴト工具なるもので基板ケースを加工して基板ケースの隙間をかいくぐり、監視スイッチの出没ピンを接着剤などで固着してＯＦＦ状態への移行を制限し、その監視スイッチによる監視機能を作動不能な状態にしてから、基板ケースを取り外すといった不正操作を行うことも考えられる。
【０００６】
本発明は、以上のような問題を解決するために提案されたものであり、監視機能が作動不能となるような不正操作が容易に行えない構成を有するとともに、基板ケースだけでなく周囲の部材が取り外された場合にも確実に検出可能とする制御ユニット及び遊技機の提供を目的とする。
【課題を解決するための手段】
【０００７】
上記目的を達成するため、本発明の制御ユニットは、遊技機の動作を制御する制御部品を内包する制御部材と、この制御部材に外付けされる外設部材とを備えた制御ユニットであって、制御部材と外設部材との間が外されたことを検出する監視手段を備え、制御部材は、外設部材に係合する係合部を複数備え、外設部材は、係合部に係合される被係合部を複数備え、監視手段は、制御部材における複数の係合部と外設部材における複数の被係合部が係合した状態で、該複数の係合部と該複数の被係合部とを経由するように配設された検出配線部と、制御部材と外設部材との間が離間して検出配線部が分断したことを検出する検出部とを有し、検出配線部が経由する複数の被係合部が、外設部材において、互いに離間した位置に形成された構成としてある。
【０００８】
また、本発明の遊技機は、遊技機の動作を制御する制御部品を内包する制御部材と、この制御部材に外付けされる外設部材とを有する制御ユニットを備えた遊技機であって、制御ユニットが、前述の制御ユニットからなる構成としてある。
【発明の効果】
【０００９】
本発明の制御ユニット及び遊技機によれば、外設部材に設けられた複数の被係合部が互いに離間した位置に形成されているため、基板ケースなどの制御部材を不正に取り外す際にそれら複数の被係合部に付設された端子のそれぞれに同時にアクセスして接続することが困難となる。これにより、それら複数の端子を接続することで不正行為の監視機能が作動不能となるような不正操作を阻止して、確実にその不正行為を検知することができる。
また、基板ケースなどの制御部材に外付けされる外設部材にも検出配線部を配設する構成としたので、その外設部材が取り外されたことを確実に検出できる。
【図面の簡単な説明】
【００１０】
【図１】本発明の第一実施形態に係るスロットマシンの正面図である。
【図２】本発明の第一実施形態に係るスロットマシンの内部構成を示す斜視図である。
【図３】本発明の第一実施形態に係る制御基板ユニットの外観斜視図である。
【図４】基板ケースの構成を示す斜視図である。
【図５】ケースホルダーの構成を示す斜視図である。
【図６】基板ユニット監視回路が基板ケースとケースホルダーに配設された状態を示す正面図（ａ）及びＡ−Ａ断面図（ｂ）である。
【図７】本発明の第一実施形態に係る基板ユニット監視回路の構成を示す概略図である。
【図８】本発明の第二実施形態に係る基板ケースの正面図である。
【図９】設定キーユニットの構成を示す外観斜視図であって、（ａ）はカバーを閉じた状態、（ｂ）はカバーを開けた状態を示す。
【図１０】設定キーユニットと、この設定キーユニットが取り付けられる基板ケースの構成を示す斜視図である。
【図１１】設定キーユニットと基板ケースとの係合部分の構成を示す要部拡大図であって、（ａ）は、図８のＢ−Ｂ断面図、（ｂ）は、（ａ）のＣ−Ｃ断面図である。
【図１２】本発明の第二実施形態に係る基板ユニット監視回路の構成を示す概略図である。
【図１３】本発明の第三実施形態に係る基板ユニット監視回路の構成を示す概略図である。
【図１４】本発明の第四実施形態に係る制御基板ユニットのうち固定ピンが装着された部分の構成と、固定ピンの構成を示す外観斜視図である。
【図１５】本発明の第四実施形態に係る基板ユニット監視回路の構成を示す概略図である。
【図１６】基板ユニット監視回路の他の構成を示す概略図である。
【発明を実施するための形態】
【００１１】
以下、本発明の制御ユニット及び遊技機の好ましい実施形態について、各図を参照して説明する。
なお、遊技機には、パチンコ機、スロットマシン、アレンジボール、雀球など様々な機類があるが、本実施形態では、メダルを遊技媒体とするスロットマシンに、本発明の基板ユニット監視回路を適用した場合について説明する。
【００１２】
［第一実施形態］
まず、本発明の制御ユニット及び遊技機の第一実施形態について、図面を参照して説明する。
なお、ここでは、下記の項目について、順次説明する。
（１）スロットマシン
（２）制御基板ユニット
（３）基板ユニット監視回路
【００１３】
（１）スロットマシン
本実施形態の遊技機の代表例であるスロットマシンについて、図１、図２を参照して説明する。
図１は、本実施形態におけるスロットマシンの正面の構成を示す外観正面図、図２は、本実施形態におけるスロットマシンの内部構成を示す斜視図である。
図１、図２に示すように、本実施形態のスロットマシン１は、複数のリール７１ａ，７１ｂ，７１ｃを回転させることによって遊技媒体（メダル）を獲得することができる回胴式遊技機である。
【００１４】
このスロットマシン１は、必要な機械、装置等を収納する正面側が開口した筐体１ｂと、筐体１ｂの正面側を開閉可能に覆う前扉１ａとで構成されている。
前扉１ａは、筐体１ｂにヒンジ１ｃを介して開閉可能に取り付けられる扉体で、この前扉１ａに、メダルを投入するメダル投入口２、各リール７１の回転を始動させるスタートレバー３や、回転している各リール７１を停止させる３つの停止ボタン４ａ〜４ｃ、押下操作により内部記憶（クレジット）されたメダルをゲームに投入するＭＡＸＢＥＴボタン５ａと１ＢＥＴボタン５ｂなどの複数の操作手段や、払出メダル数を表示する払出枚数表示部６などが設けられて、スロットマシン１の正面部を構成している。
【００１５】
筐体１ｂの中央には、リール７１（７１ａ，７１ｂ，７１ｃ）と、各リール７１を回転可能に支持する図示しないモータ及び回転位置を検出するセンサ等が設けられている。
また、筐体１ｂの下部には、メダルの貯留・払出しを行うメダル払出装置８と、電源を生成・供給する電源ボックス９が設けられ、筐体１ｂの後面上部には、基板ケース２０（後述）が装着された制御基板ユニット１０が取り付けられている。
この制御基板ユニット１０の構成について、次の「（２）制御基板ユニット」にて説明する。
【００１６】
（２）制御基板ユニット
制御基板ユニット１０は、図３に示すように、基板ケース２０と、この基板ケース２０を脱離不能に固定するケースホルダー３０とから構成されており、係止爪３２３、ネジ４０、固定ピン９０、凹凸構造（後述）によって、基板ケース２０をケースホルダー３０に固定させるとともに、基板ケース２０のうち蓋ケース２１（後述）が筐体１ｂの正面側開口を向くように、筐体１ｂの内側後面上部に装着している。このように装着される基板ケース２０は、以下のように構成されている。
【００１７】
基板ケース２０は、図４に示すように、無色透明な工業用樹脂（例えば、ポリカーボネート）で形成された二つのケースを備え、主基板１１はこれらのケースの間に挟まれるように収容されている。
具体的には、基板ケース２０は、矩形状のケース構造を有し、主基板１１の部品実装面１１ａ側を覆う蓋ケース２１と、半田面１１ｂ側を覆う本体ケース２２を備えている。
また、基板ケース２０は、蓋ケース２１と本体ケース２２とを開閉可能に支持するヒンジ２０ａを備えている。このヒンジ２０ａは、ケース閉状態において、蓋ケース２１と本体ケース２２とを軸止し、ヒンジ２０ａ側からケースを開放することができないように構成してある。
【００１８】
さらに、基板ケース２０は、凹凸構造によって、基板ケース２０をケースホルダー３０に係合させる係合凸部２３を備えている。
係合凸部２３は、蓋ケース２１側面から突出する部分であり、ケースホルダー３０に備える係合凹部３１２（後述）と係合するようになっている。
なお、基板ケース２０は、遊技機（スロットマシン１）の動作を制御する制御部品（主基板１１）を内包することから、「制御部材」に相当する。
また、係合凸部２３は、制御部材（基板ケース２０）に備えられるとともに、外設部材（ケースホルダー３０）に係合することから、「係合部」に相当する。
【００１９】
ケースホルダー３０は、筐体１ｂの内側後面に取り付けられる部品であり、基板ケース２０が装着される台座として構成されている。
具体的には、ケースホルダー３０は、図５に示すように、筐体１ｂの正面開口側から見て、左側に配置されるホルダーＬ３１と、右側に配置されるホルダーＲ３２とを備え、これらが結合して、基板ケース２０を固定するようになっている。
ケースホルダー３０は、筐体１ｂの内側後面上部に取り付けられるとともに、本体ケース２２と面接触する底部３１ａ、３２ａと、基板ケース２０を左側から支持する左側部３１ｂと、右側から支持する右側部３２ｂと、基板ケース２０を下方から支持する下側部３１ｃと、を備え、基板ケース２０側面を三方から囲むように形成されている。
【００２０】
底部３１ａ、３２ａには、止め孔３１１、３２１が穿設されており、ホルダーＬ３１とホルダーＲ３２を筐体１ｂの内側後面上部にネジで螺着固定するようになっている。
また、これら止め孔３１１、３２１は、装着される基板ケース２０によって覆われる位置に穿設されており、基板ケース２０がケースホルダー３０に脱離不能に固定された状態において、筐体１ｂからケースホルダー３０を取り外すことができないようになっている（図２参照）。
また、底部３２ａには、係止爪３２３が立設され、蓋ケース２１上面に係止されるようになっている（図３参照）。
【００２１】
左側部３１ｂには、凹凸構造によって、基板ケース２０をケースホルダー３０に係合させる係合凹部３１２を備えている。係合凹部３１２は、基板ケース２０の係合凸部２３が挿入可能に開口され、この凹凸構造によって、基板ケース２０を左側面から支持するようになっている。
なお、右側部３２ｂには、ピンホルダー３２４が形成されている。このピンホルダー３２４については、第四実施形態で説明する。
また、ケースホルダー３０は、制御部材（基板ケース２０）に対して外付けされることから、「外設部材」に相当する。
さらに、係合凹部３１２は、外設部材（ケースホルダー３０）に備えられるとともに、制御部材の係合部（基板ケース２０の係合凸部２３）に係合されることから、「被係合部」に相当する。
また、制御基板ユニット１０は、遊技機（スロットマシン１）の動作を制御する制御部品（主基板１１）を内包する制御部材（基板ケース２０）と、この制御部材（基板ケース２０）に外付けされる外設部材（ケースホルダー３０）とを備えていることから、「制御ユニット」に相当する。
【００２２】
このような構成を有する制御基板ユニット１０においては、基板ケース２０が不正に取り外されたことを検出する基板ユニット監視回路５０が備えられている。
この基板ユニット監視回路５０の構成について、次の「（３）基板ユニット監視回路」にて説明する。
【００２３】
（３）基板ユニット監視回路
基板ユニット監視回路５０は、図６、図７に示すように、検出配線部５０ａと、監視基板６０とを備えている。
なお、図６は、基板ユニット監視回路５０が配置された基板ケース２０及びケースホルダー３０の要部正面図（ａ）及びＡ−Ａ断面図（ｂ）、図７は、基板ユニット監視回路５０の全体構成図である。
【００２４】
検出配線部５０ａは、基板ケース２０とケースホルダー３０の両方に亘って配設されており、基板ケース２０がケースホルダー３０に装着された状態でループ状となるように構成された配線である。
この検出配線部５０ａは、基板ケース２０に配設されるケース用配線５１と、ケースホルダー３０に配設されるホルダー用配線５２によって構成されている。
ケース用配線５１は、基板ケース２０に形成された二つの係合凸部２３のそれぞれに付設された凸部用端子５１１、５１２と、これら二つの凸部用端子５１１、５１２を接続するように基板ケース２０の内部に配設された接続配線５１３とを有している。
【００２５】
凸部用端子５１１、５１２は、係合凸部２３の周面や先端面に付設された板状又は鉤状の端子部材である。この凸部用端子５１１、５１２の一部は、係合凸部２３の周面から内部に向かって挿入されており、接続配線５１３と接続されている。
接続配線５１３は、凸部用端子５１１と凸部用端子５１２とを接続するジャンパー線である。
【００２６】
ホルダー用配線５２は、凹部用端子５２１、５２２と、接続配線５２３、５２４とを有している。
凹部用端子５２１、５２２は、ケースホルダー３０の左側部３１ｂに形成された二つの係合凹部３１２（左側部３１ｂの内部に包有された凹部形成部材３１ｄに形成されている二つの係合凹部３１２−１、３１２−２）のそれぞれの内側面に付設された板状又は鉤状の端子部材である。
【００２７】
接続配線５２３は、一端が凹部用端子５２１に接続され、他端が監視基板６０のコネクタ６１（後述）に接続されたリード線である。
接続配線５２４は、一端が凹部用端子５２２に接続され、他端が監視基板６０のコネクタ６１に接続されたリード線である。
【００２８】
検出配線部５０ａをこれらのような構成とし、基板ケース２０の係合凸部２３をケースホルダー３０の係合凹部３１２−１、３１２−２に係合すると、係合凸部２３に付設された凸部用端子５１１、５１２が係合凹部３１２−１、３１２−２に付設された凹部用端子５２１、５２２に接合する。
これにより、検出配線部５０ａは、監視基板６０のコネクタ６１を起点及び終点とするループ形状の経路として形成される。すなわち、コネクタ６１を起点として、コネクタ６１→第一の接続配線５２３→第一の凹部用端子５２１→第一の凸部用端子５１１→接続配線５１３→第二の凸部用端子５１２→第二の凹部用端子５２２→第二の接続配線５２４を経由して、コネクタ６１に辿り着くループ形状の経路が形成される。
つまり、検出配線部５０ａは、基板ケース２０の係合凸部２３とケースホルダー３０の係合凹部３１２−１、３１２−２が係合した状態で、これら係合凸部２３と係合凹部３１２−１、３１２−２とを経由するように配設されている。
【００２９】
監視基板６０は、電子回路基板上に、コネクタ６１と、取り外し検知部６２と、電波時計６３と、取り外し監視制御部６４と、カウント表示部６５と、ランプ表示部６６と、記憶部６７と、補助電池６８とを搭載しており、各部が以下の機能を実行する。
取り外し検知部６２は、副制御基板７０から送られてきた電流をコネクタ６１を介して検出配線部５０ａに流すとともに、この電流の値を監視する。そして、その電流値が０になったことを検知すると、検知信号を取り外し監視制御部６４へ送る。ここで、電流値が０になる場合とは、検出配線部５０ａが分断した場合であり、具体的には、基板ケース２０がケースホルダー３０から取り外されたことで、凸部用端子５１１と凹部用端子５２１、凸部用端子５１２と凹部用端子５２２がそれぞれ離間した場合である。このことから、取り外し検知部６２は、検出配線部５０ａに流れる電流の値を監視することで、基板ケース２０が不正に取り外されたことを検出することができる。
なお、取り外し検知部６２では、検出配線部５０ａに流れる電流の値が０になることを検知しているが、検出配線部５０ａが一箇所でも分断すれば電流値が０となる。よって、凸部用端子５１１と凹部用端子５２１との間、又は、凸部用端子５１２と凹部用端子５２２との間のいずれか一方でも離間したときに、取り外し検知部６２は、その電流値が０となったことを検知して、基板ケース２０の取り外しを検出することができる。
【００３０】
また、基板ケース２０の係合凸部２３とケースホルダー３０の係合凹部３１２−１、３１２−２とが係合し検出配線部５０ａがループ状に形成されて電流が流れる状態をＯＮ状態、係合凸部２３と係合凹部３１２−１、３１２−２との係合が脱離されて検出配線部５０ａが分断し電流が流れなくなった状態をＯＦＦ状態とすると、取り外し検知部６２は、そのＯＦＦ状態を検知することで、基板ケース２０がケースホルダー３０から取り外されたことを検出する。つまり、係合凸部２３と係合凹部３１２−１、３１２−２とを係合したり、その係合を外したりすることで、検出配線部５０ａのＯＮ状態とＯＦＦ状態とが切り換わる。よって、係合凸部２３と係合凹部３１２−１、３１２−２は、検出配線部５０ａのＯＮ状態とＯＦＦ状態とを切り換えるスイッチの役割を果たしている。
【００３１】
電波時計６３は、時間を計るとともに、標準電波を受信して、誤差を自動修正する機能を有する計時手段である。
取り外し監視制御部６４は、取り外し検知部６２から検知信号を受け取ると、この検知された時刻を電波時計６３から受け取って記憶部６７に記憶させる。また、取り外し監視制御部６４は、検知信号を受け取ると、ランプ表示部６６を点灯又は点滅（あるいは消灯）させるとともに、検知時刻をカウント表示部６５に表示させる。
また、取り外し監視制御部６４は、検知回数をカウントし、カウント値を記憶部６７に記憶させるとともに、カウント表示部６５に表示させることができる。カウント表示部６５は、切り換えボタン（不図示）を操作することで、検知時刻と検知回数とを切り換えて表示することができる。
【００３２】
このような動作を取り外し監視制御部６４が行うことで、遊技場の管理者は、ランプ表示部６６が点灯又は点滅（あるいは消灯）しているか否かを確認することにより、不正行為の発生の有無を知得できる。また、カウント表示部６５に表示された時刻を視認することで、不正行為の発生時刻を知ることができる。さらに、カウント表示部６５に表示されたカウント数を確認することで、不正行為の発生回数を知ることができる。しかも、不正行為の発生時刻等は、データとして記憶部６７に記憶されることから、後日、遊技機を点検するときなど、必要なときに、そのデータをカウント表示部６５に表示させて内容を確認することができる。
なお、取り外し監視制御部６４は、不正行為が検出された日時を計時手段（電波時計６３）から取得することから、「検出日時取得部」に相当する。
【００３３】
補助電池６８は、二次電池の機能を有しており、副制御基板７０からの電力供給を受けて充電し、副制御基板７０からの電力供給がないときに、検出配線部５０ａへ電流を流す。これにより、遊技機に対して電力が供給されない場合、例えば、遊技機が工場を出荷してから遊技場に導入されるまでの間や、営業時間中の停電時、営業時間外における電源断時などにおいても、基板ケース２０を取り外す不正行為を監視することができる。
なお、監視基板６０は、図６（ｂ）に示すように、ケースホルダー３０のホルダーＬ３１における底部３１ａの裏面（スロットマシン１の筐体１ｂの内面とこれに対向するケースホルダー３０の裏面との間）などに設けることができる。
また、基板ユニット監視回路５０は、制御部材（基板ケース２０）と外設部材（ケースホルダー３０）との間が外されたことを検出することから、「監視手段」に相当する。
さらに、監視基板６０の取り外し検知部６２は、基板ケース２０の取り外しにより検出配線部が分断したことを検出することから、「検出部」としての機能を有している。
【００３４】
以上説明したように、本実施形態の制御ユニット及び遊技機によれば、基板ケース２０をケースホルダー３０から不正に取り外す行為が発生すると、その不正行為を検出し、この検出した日時を履歴として記憶部６７に記憶させるとともに、検出したことをランプ表示部６６やカウント表示部６５で表示することから、遊技場の管理者は、遊技機の点検時に、そのランプ表示部６６等の表示を視認することで、不正行為の発生の有無を容易に確認することができるとともに、その不正行為を早期に発見して遊技場の損害を最小限に抑えることができる。
また、監視基板６０が、外部から標準電波を受信して時間を常時計測する電波時計６３や、自ら電力を供給する補助電池６８を搭載しているので、例えば、遊技機に対して外部から電力供給がない場合（遊技機が工場から出荷された後、遊技場に設置されるまでの間など）に不正行為が発生したときでも、この不正行為の日時を電波時計６３から取得して記憶部６７に記憶させるとともに、その不正行為が発生したことをランプ表示部６６やカウント表示部６５に表示させることができる。これにより、遊技場の管理者は、遊技機に電力が供給されていないときに不正行為が発生したことを知得でき、さらに、カウント表示部６５に表示された時刻から不正行為が発生した場所及び時間を追跡し特定することができる。
【００３５】
さらに、ケースホルダー３０において検出配線部５０ａが経由する複数の係合凹部（係合凹部３１２−１と係合凹部３１２−２）は、互いに離間した位置に形成されている。しかも、それら係合凹部３１２−１と係合凹部３１２−２の凹状内面に、凹部用端子５２１と凹部用端子５２２が付設されている。このため、不正行為者がケースホルダー３０から基板ケース２０を取り外す際に、それら凹部用端子５２１と凹部用端子５２２とを接続するなどの不正操作を行おうとしても、２つの凹部用端子５２１、５２２に同時にアクセスすることができず、簡単に接続することができない。よって、不正行為が発見されないように証拠を隠滅しようとする行為を困難なものとすることができる。
また、基板ユニット監視回路５０は、特許文献１に記載されたマイクロスイッチを使用していないので、該マイクロスイッチの出没ピンを接着剤で固定してＯＦＦ状態を維持し、不正行為が検知されないように細工するといった事態が起こり得ない。
【００３６】
なお、本実施形態において、係合凹部３１２−１、３１２−２は、凹部形成部材３１ｄに形成されているが、これに限るものではなく、ケースホルダー３０の左側部３１ｂにおける右側面を凹状に形成し、これを係合凹部とすることもできる。
また、本実施形態において、カウント表示部６５は、小型の液晶表示器を用いることを想定しているが、これに限るものではなく、例えば、表示電子ペーパーなどの簡易な表示装置を用いることもできる。
さらに、図７においては、監視基板６０の構成各部を一枚の基板上に搭載してあるが、これに限るものではなく、ランプ表示部６６やカウント表示部６５などは、該基板上以外の任意の箇所に設けることができる。具体的には、ケースホルダー３０において、基板ケース２０が取り付けられても隠されない位置、例えば、左側部３１ｂの内部や、ケースホルダー３０から離間した箇所などにランプ表示部６６等を設けることができる。
また、係合凹部３１２−１と係合凹部３１２−２は、基板ケース２０の同一側面において、互いに離間した位置に形成されているが、不正行為者が凹部用端子５２１と凹部用端子５２２に同時にアクセスしようとする行為を困難なものとするため、係合凹部３１２−１と係合凹部３１２−２は、できる限り離れた位置に形成するのが望ましい。例えば、基板ケース２０の同一側面における長手方向の一方の端辺近傍に一の係合凹部３１２−１を形成し、他方の端辺近傍に他の係合凹部３１２−２を形成するのが望ましい。
【００３７】
［第二実施形態］
次に、本発明の制御ユニット及び遊技機の第二実施形態について、図８〜図１２を参照して説明する。
図８は、本実施形態に係る基板ケースの外観正面図、図９は、設定キーユニットの構成を示す外観斜視図、図１０は、設定キーユニットと、この設定キーユニットが取り付けられる基板ケースの構成を示す外観斜視図、図１１は、設定キーユニットと基板ケースの接合部分の構成を示す要部拡大断面図、図１２は、本実施形態に係る基板ユニット監視回路の構成を示す概略図である。
本実施形態は、第一実施形態と比較して、検出配線部の構成が相違する。すなわち、第一実施形態では、検出配線部を、基板ケース及びケースホルダーに配設する構成としたのに対し、本実施形態では、基板ケースとケースホルダーと設定キーユニットに配設する。他の構成要素は第一実施形態と同様である。
したがって、図８〜図１２において、図１と同様の構成部分については同一の符号を付して、その詳細な説明を省略する。
【００３８】
（１）制御基板ユニット
制御基板ユニット１０は、基板ケース２０と、ケースホルダー３０と、設定キーユニット８０とを備えている。
設定キーユニット８０は、図８に示すように、基板ケース２０の一部（同図においては、基板ケース２０の左側）に装着されており、キー操作によって主基板１１にオン信号を出力し、このオン信号に基づいて主基板１１を設定変更可能な状態にする設定キースイッチ８１を備えている（図９（ｂ）参照）。
【００３９】
設定キースイッチ８１は、一般に、遊技機の電源を生成・供給する電源基板を収容する電源ボックス９に備えられているが、不正行為を防止するために、本実施形態では、電源ボックス９から離れた、基板ケース２０に隣接して設けている。この設定キースイッチ８１は、不正防止のため、あるいはメンテナンス容易のためにホルダー８２やカバー８３で包囲して固定ビス８５１で基板ケース２０に固定してあるが、悪質な遊技者は、この固定ビス８５１を緩めて設定キースイッチ８１をホルダー８２やカバー８３とともに外して、裏側から設定キースイッチ８１を短絡させ、有利な遊技状態に設定変更することが考えられる。
そこで、本実施形態では、設定キーユニット８０を不正に取り外した行為を検知し、履歴として記憶するとともに、ランプ等に表示して、遊技場の管理者に確実に知らせるものである。
【００４０】
設定キーユニット８０は、図９（ａ）、（ｂ）に示すように、設定キースイッチ８１を覆うカバー構造を有し、無色透明な工業用樹脂（例えば、ポリカーボネート）で形成されている。
具体的には、設定キーユニット８０は、キー操作に基づく信号を主基板１１へ送る設定キースイッチ８１と、設定キースイッチ８１の鍵穴部８１ａ以外を覆って該設定キースイッチ８１を支持するホルダー８２と、設定キースイッチ８１の鍵穴部８１ａを開閉可能に覆うカバー８３と、設定キーユニット８０を基板ケース２０に取り付ける取り付け構造と、を備えている。
【００４１】
ここで、設定キースイッチ８１は、鉄などの導電体で形成され、設定キーが挿入される鍵穴部８１ａを備えている。この設定キースイッチ８１は、リード線（不図示）により主基板１１と電気的に接続され、対応する設定キーを挿入・回転してオン状態としたまま、電源ボックス９に設けられた電源スイッチ９ａをオン（電源投入）することで、主基板１１にオン信号が入力され、予め６段階に分けて設定された大当りの抽せん確率を変更可能な状態とすることができる。
ホルダー８２は、設定キースイッチ８１の鍵穴部８１ａ以外を覆うスイッチ被覆部８２ａと、主基板１１とのコネクタ接続部（不図示）を覆うコネクタ被覆部８２ｂとが滑らかに繋がるドーム状に形成され、ガイドリブ８４、固定リブ８５を備えている。
固定リブ８５には、固定孔８５ａが形成され、ホルダー８２の側部に突設されたガイドリブ８４とともに、設定キーユニット８０を基板ケース２０に取り付けるための取り付け構造として構成されている（図１０参照）。
【００４２】
基板ケース２０には、図１０に示すように、設定キーユニット８０を装着するユニット装着部２５を形成してある。
ユニット装着部２５には、基板ケース２０左側面から突出するＬ字状に形成されたガイド部２５１と、設定キーユニット８０を装着した状態で、固定孔８５ａと連通する固定孔２５２と、設定キースイッチ８１のシリンダ部（不図示）を囲む囲いリブ２５３と、主基板１１に設けられたコネクタ２５４と、が形成されている。
【００４３】
設定キーユニット８０のユニット装着部２５への装着は、まず、設定キースイッチ８１の底部に接続されたリード部（不図示）とケーブルを介して繋がる図示しないコネクタをコネクタ２５４に接続するとともに、設定キースイッチ８１の下部であるシリンダ部（不図示）を囲いリブ２５３に挿入する。
さらに、ガイドリブ８４上面がガイド部２５１下面に当接するように、Ｌ字に案内されてスライド挿入するとともに（図１１（ａ）、（ｂ）参照）、この状態で連通する固定孔８５ａと固定孔２５２に固定ビス８５１を螺入することで、設定キーユニット８０をユニット装着部２５に装着することができる。
【００４４】
（２）基板ユニット監視回路
基板ユニット監視回路５０は、図１２に示すように、検出配線部５０ｂと、監視基板６０とを備えている。
検出配線部５０ｂは、基板ケース２０とケースホルダー３０と設定キーユニット８０に亘って配設されており、設定キーユニット８０が基板ケース２０に装着された状態でループ状となるように構成された配線である。
この検出配線部５０ｂは、基板ケース２０に配設されるケース用配線５１と、ケースホルダー３０に配設されるホルダー用配線５２と、設定キーユニット８０に配設されるキー用端子５３１、５３２を有している。
【００４５】
ケース用配線５１は、基板ケース２０に形成された二つのガイド部２５１のそれぞれに設けられたガイド用端子５１７、５１８と、これらガイド用端子５１７、５１８を接続するように基板ケース２０の内部に配設された接続配線５１３とを有している。
ガイド用端子５１７、５１８は、図１１（ａ）、（ｂ）に示すように、ガイド部２５１の下面に付設された板状の端子部材である。これらガイド用端子５１７、５１８の端部には、接続配線５１３が接続されている。
【００４６】
ホルダー用配線５２は、設定キーユニット８０のガイドリブ８４の上面に付設されているキー用端子５３１、５３２と監視基板６０のコネクタ６１とを接続する接続配線５２３、５２４を有している。
キー用端子５３１、５３２は、図１１（ａ）、（ｂ）に示すように、ガイドリブ８４の上面に付設された板状又は鉤状の端子部材である。このキー用端子５３１、５３２には、接続配線５２３、５２４が、半田付けなどにより接合されている。
【００４７】
検出配線部５０ｂをこれらのような構成とし、設定キーユニット８０のガイドリブ８４を基板ケース２０のガイド部２５１に係合すると、ガイドリブ８４に付設されたキー用端子５３１、５３２がガイド部２５１に付設されたガイド用端子５１７、５１８に接合する。
これにより、検出配線部５０ｂは、監視基板６０のコネクタ６１を起点及び終点とするループ形状の経路として形成される。すなわち、コネクタ６１を起点として、コネクタ６１→第一の接続配線５２３→第一のキー用端子５３１→第一のガイド用端子５１７→接続配線５１３→第二のガイド用端子５１８→第二のキー用端子５３２→第二の接続配線５２４→コネクタ６１というループが形成される。
つまり、検出配線部５０ｂは、基板ケース２０のガイド部２５１と設定キーユニット８０のガイドリブ８４が係合した状態で、これらガイド部２５１とガイドリブ８４とを経由するように配設されている。
【００４８】
監視基板６０の取り外し検知部６２は、検出配線部５０ｂに電流を流すとともに、この電流の値を監視し、該電流値が０であることを検知すると、検知信号を取り外し監視制御部６４へ送る。ここで、電流値が０になる場合とは、検出配線部５０ｂが分断した場合であり、具体的には、設定キーユニット８０が基板ケース２０から取り外されたことで、ガイド用端子５１７とキー用端子５３１、ガイド用端子５１８とキー用端子５３２がそれぞれ離間した場合が該当する。このことから、取り外し検知部６２は、検出配線部５０ｂに流れる電流の値を監視することで、設定キーユニット８０を不正に取り外す行為を検出できる。
なお、取り外し検知部６２は、第一実施形態における取り外し検知部６２と同様、検出配線部５０ｂが一箇所でも分断し、これに流れる電流の値が０になったことを検知する。よって、検出配線部５０ｂにおけるガイド用端子５１７とキー用端子５３１との間、又は、ガイド用端子５１８とキー用端子５３２との間のいずれか一方でも離間したときに、その電流値が０となったことを検知して、設定キーユニット８０の取り外しを検出することができる。
【００４９】
以上のような構成を備えることにより、本実施形態の制御ユニット及び遊技機は、設定キーユニット８０を基板ケース２０から不正に取り外す行為が発生すると、この不正行為を検出することができる。そして、その検出した不正行為を履歴として記憶し、ランプ表示部６６やカウント表示部６５で表示することにより、遊技場の管理者は、点検時にそれらランプ表示部６６等の表示を視認することで、その不正行為を容易に発見することができる。
また、設定キーユニット８０のホルダー８２は、メンテナンスや再使用あるいはコストダウンの観点から、不正行為のできない、簡易な構造であることが望まれるが、本実施形態では、ホルダー８２のガイドリブ８４の上面にキー用端子５３１、５３２を付設した簡易な構造であるため、メンテナンスが容易であり、再使用が可能で、コストダウンを図ることができ、しかも、設定キースイッチ８１を不正に操作するためにホルダー８２を取り外す行為が発生すると、監視基板６０で確実に検出することができる。
【００５０】
なお、設定キーユニット８０は、遊技機（スロットマシン１）の動作を制御する制御部品（設定キースイッチ８１）を内包するとともに制御部材（基板ケース２０）に外付けされることから、「外設部材」及び「付設部材」に相当する。
また、基板ケース２０のガイド部２５１は、基板ケース２０に形成されるとともに、外設部材又は付設部材（設定キーユニット８０）に係合することから、「係合部」及び「付設側係合部」に相当する。
さらに、設定キーユニット８０のガイドリブ８４は、設定キーユニット８０に形成されるとともに、係合部（ガイド部２５１）に係合されることから、「被係合部」に相当する。
【００５１】
［第三実施形態］
次に、本発明の制御ユニット及び遊技機の第三実施形態について、図１３を参照して説明する。
同図は、本実施形態の基板ユニット監視回路の構成を示す概略図である。
本実施形態は、第一実施形態と比較して、検出配線部の構成が相違する。すなわち、第一実施形態では、検出配線部を、基板ケース及びケースホルダーに配設する構成としたのに対し、本実施形態では、基板ケースとケースホルダーと設定キーユニットに配設する。他の構成要素は第一実施形態と同様である。
したがって、図１３において、図１と同様の構成部分については同一の符号を付して、その詳細な説明を省略する。また、制御基板ユニットの構成は、第二実施形態における制御基板ユニットの構成と同様であるため、ここでの説明は省略する。
【００５２】
（１）基板ユニット監視回路
基板ユニット監視回路５０は、図１３に示すように、検出配線部５０ｃと、監視基板６０とを備えている。
検出配線部５０ｃは、基板ケース２０とケースホルダー３０と設定キーユニット８０とに亘って配設されており、基板ケース２０がケースホルダー３０に装着されるとともに、設定キーユニット８０が基板ケース２０に装着された状態でループ状となるように構成された配線である。
この検出配線部５０ｃは、基板ケース２０に配設されるケース用配線５１と、ケースホルダー３０に配設されるホルダー用配線５２と、設定キーユニット８０に配設されるキー用配線５３とを有している。
【００５３】
ケース用配線５１は、基板ケース２０に形成された二つの係合凸部２３のそれぞれに設けられた凸部用端子５１１、５１２と、基板ケース２０に形成された二つのガイド部２５１のそれぞれに設けられたガイド用端子５１７、５１８と、これら凸部用端子５１１とガイド用端子５１７、凸部用端子５１２とガイド用端子５１８をそれぞれ接続するように基板ケース２０の内部に配設された接続配線５１３、５１４とを有している。
ホルダー用配線５２は、第一実施形態におけるホルダー用配線５２と同様の構成を有している。
キー用配線５３は、ガイドリブ８４の上面に取り付けられたキー用端子５３１、５３２と、これらキー用端子５３１、５３２を接続するようにホルダー８２の内部に設けられた接続配線５３３とを有している。
【００５４】
検出配線部５０ｃをこれらのような構成とし、基板ケース２０の係合凸部２３をケースホルダー３０の係合凹部３１２−１、３１２−２に係合すると、係合凸部２３に付設された凸部用端子５１１、５１２が係合凹部３１２−１、３１２−２に付設された凹部用端子５２１、５２２に接合する。また、設定キーユニット８０のガイドリブ８４を基板ケース２０のガイド部２５１に係合すると、ガイドリブ８４に付設されたキー用端子５３１、５３２がガイド部２５１に付設されたガイド用端子５１７、５１８に接合する。これらにより、検出配線部５０ｃは、監視基板６０のコネクタ６１を起点及び終点とするループ形状の経路として形成される。すなわち、コネクタ６１を起点として、コネクタ６１→第一の接続配線５２３→第一の凹部用端子５２１→第一の凸部用端子５１１→第一の接続配線５１３→第一のガイド用端子５１７→第一のキー用端子５３１→接続配線５３３→第二のキー用端子５３２→第二のガイド用端子５１８→第二の接続配線５１４→第二の凸部用端子５１２→第二の凹部用端子５２２→第二の接続配線５２４→コネクタ６１というループが形成される。
つまり、検出配線部５０ｃは、基板ケース２０の係合凸部２３とケースホルダー３０の係合凹部３１２−１、３１２−２が係合し、かつ、基板ケース２０のガイド部２５１と設定キーユニット８０のガイドリブ８４が係合した状態で、これら係合凸部２３と係合凹部３１２−１、３１２−２とガイド部２５１とガイドリブ８４とを経由するように配設されている。
【００５５】
監視基板６０の取り外し検知部６２は、検出配線部５０ｃに電流を流すとともに、この電流の値を監視し、該電流値が０であることを検知すると、検知信号を取り外し監視制御部６４へ送る。ここで、電流値が０になる場合とは、検出配線部５０ｃが分断した場合であり、具体的には、基板ケース２０がケースホルダー３０から取り外されたことで、凸部用端子５１１と凹部用端子５２１、凸部用端子５１２と凹部用端子５２２がそれぞれ離間した場合と、設定キーユニット８０が基板ケース２０から取り外されたことで、ガイド用端子５１７とキー用端子５３１、ガイド用端子５１８とキー用端子５３２がそれぞれ離間した場合が該当する。このことから、取り外し検知部６２は、検出配線部５０ｃに流れる電流の値を監視することで、基板ケース２０を不正に取り外す行為や設定キーユニット８０を不正に取り外す行為を検出できる。
なお、取り外し検知部６２は、第一又は第二実施形態における取り外し検知部６２と同様、検出配線部５０ｃが一箇所でも分断し、これに流れる電流の値が０になったことを検知する。よって、検出配線部５０ｃにおける凸部用端子５１１と凹部用端子５２１との間、凸部用端子５１２と凹部用端子５２２との間、ガイド用端子５１７とキー用端子５３１との間、ガイド用端子５１８とキー用端子５３２との間のいずれか一箇所でも離間したときに、その電流値が０となったことを検知して、基板ケース２０又は設定キーユニット８０の取り外しを検出することができる。
【００５６】
以上のような構成を備えることにより、本実施形態の制御ユニット及び遊技機は、基板ケース２０をケースホルダー３０から不正に取り外す行為と、設定キーユニット８０を不正に取り外す行為の両方について検出することができる。そして、これら検出した不正行為を履歴として記憶し、ランプ表示部６６等で表示することにより、遊技場の管理者は、点検時にそのランプ等の表示を視認することで、その不正行為を容易に発見することができる。
【００５７】
［第四実施形態］
次に、本発明の制御ユニット及び遊技機の第四実施形態について、図１４、図１５を参照して説明する。
図１４は、制御基板ユニットのうち固定ピンが装着された右側部及びその周辺の構成を示す要部拡大斜視図、図１５は、本実施形態の基板ユニット監視回路の構成を示す概略図である。
本実施形態は、第一実施形態と比較して、検出配線部の構成が相違する。すなわち、第一実施形態では、検出配線部を、基板ケース及びケースホルダーに配設する構成としたのに対し、本実施形態では、基板ケースとケースホルダーと固定ピンに配設する。他の構成要素は第一実施形態と同様である。
したがって、図１４、図１５において、図１と同様の構成部分については同一の符号を付して、その詳細な説明を省略する。
【００５８】
（１）制御基板ユニット
制御基板ユニット１０は、基板ケース２０と、ケースホルダー３０とを備えている。
ケースホルダー３０の右側部３２ｂには、固定ピン９０をセットしておくためのピンホルダー３２４が形成されている（図５、図１４参照）。
ピンホルダー３２４は、基板ケース２０がケースホルダー３０に取り付けられた状態で主基板１１の基板面（部品実装面１１ａ及び半田面１１ｂ）とほぼ平行に開口された開口部３２４ａ（図５参照）を備え、弾性変形させた固定ピン９０（後述の弾性爪部９１）をこの開口部３２４ａに通過させることで、固定ピン９０が脱落不能にセットされる。
【００５９】
基板ケース２０は、固定ピン９０（後述）が挿通する開口部２４を有している（図４、図１４参照）。
開口部２４は、蓋ケース２１側面に主基板１１の基板面とほぼ平行に開口され、基板ケース２０をケースホルダー３０に取り付けた状態で、ケースホルダー３０に形成された開口部３２４ａと、固定ピン９０が挿通可能に連通するようになっている。
【００６０】
固定ピン９０は、固定具の一例であり、各開口部３２４ａ，２４に挿通されることで、基板ケース２０をケースホルダー３０から脱離不能に固定する閂（かんぬき）として機能する。
固定ピン９０は、容易に破壊できない工業用樹脂（例えば、ポリカーボネート）で形成され、図１４に示すように、弾性変形させつつ開口部２４を通過させ、復元することで開口部２４内側に係止する弾性爪部９１と、基板ケース２０をケースホルダー３０から取り外すときに、ニッパーなどの剪断工具で剪断される首部９２と、開口部３２４ａに挿通される胴部９３と、開口部３２４ａからの脱落を防止する後部９４とで構成されている。
固定ピン９０をこのように構成し、弾性爪部９１を開口部２４の内側に係止し、首部９２及び胴部９３を開口部２４，３２４ａに亘って挿通された状態とすることで、基板ケース２０をケースホルダー３０から脱離不能に固定する。
【００６１】
（２）基板ユニット監視回路
基板ユニット監視回路５０は、図１５に示すように、検出配線部５０ｄと、監視基板６０とを備えている。
検出配線部５０ｄは、基板ケース２０とケースホルダー３０と固定ピン９０とに亘って配設されており、基板ケース２０がケースホルダー３０に装着されるとともに、固定ピン９０がケースホルダー３０の開口部３２４ａと基板ケース２０の開口部２４の両方に挿通された状態でループ状となるように構成された配線である。
この検出配線部５０ｄは、基板ケース２０に配設されるケース用配線５１と、ケースホルダー３０に配設されるホルダー用配線５２と、固定ピン９０に配設されるピン用端子５４とを有している。
【００６２】
ケース用配線５１は、基板ケース２０に形成された二つの係合凸部２３のそれぞれに設けられた凸部用端子５１１、５１２と、開口部２４に設けられた２つの開口用端子５１５、５１６と、これら凸部用端子５１１と開口用端子５１５、凸部用端子５１２と開口用端子５１６をそれぞれ接続するように基板ケース２０の内部に配設された接続配線５１３、５１４とを有している。
開口用端子５１５、５１６は、図１５に示すように、開口部２４の内面における離間した二箇所（例えば、該内面における左側と右側の計二箇所）に取り付けられた端子部材である。そして、開口用端子５１５の端部には接続配線５１３が接続され、開口用端子５１６の端部には接続配線５１４が接続されている。
【００６３】
ピン用端子５４は、固定ピン９０の首部９２に鍔状に形成された開口封止部９２１に付設されている端子である。
このピン用端子５４は、固定ピン９０の弾性爪部９１が開口部２４に挿通された状態で、該開口部２４の内面に設けられた二つの開口用端子５１５、５１６の両方に接触し、これらを接続するようになっている。
なお、ホルダー用配線５２は、第一実施形態におけるホルダー用配線５２と同様の構成であるため、ここでの説明は、省略する。
【００６４】
検出配線部５０ｄをこれらのような構成とし、基板ケース２０の係合凸部２３をケースホルダー３０の係合凹部３１２−１、３１２−２に係合すると、係合凸部２３に付設された凸部用端子５１１、５１２が係合凹部３１２−１、３１２−２に付設された凹部用端子５２１、５２２に接合する。また、固定ピン９０の弾性爪部９１をケースホルダー３０の開口部３２４ａと基板ケース２０の開口部２４に挿通すると、開口封止部９２１に付設されたピン用端子５４が開口部２４に付設された開口用端子５１５、５１６に接合する。これらにより、検出配線部５０ｄは、コネクタ６１を起点として、コネクタ６１→第一の接続配線５２３→第一の凹部用端子５２１→第一の凸部用端子５１１→第一の接続配線５１３→第一の開口用端子５１５→ピン用端子５４→第二の開口用端子５１６→第二の接続配線５１４→第二の凸部用端子５１２→第二の凹部用端子５２２→第二の接続配線５２４→コネクタ６１というループが形成される。
つまり、検出配線部５０ｄは、基板ケース２０の係合凸部２３とケースホルダー３０の係合凹部３１２−１、３１２−２が係合し、かつ、固定ピン９０が開口部２４、３２４ａに挿通された状態で、これら係合凸部２３と係合凹部３１２−１、３１２−２と固定ピン９０とを経由するように配設されている。
【００６５】
監視基板６０の取り外し検知部６２は、検出配線部５０ｄに電流を流すとともに、この電流の値を監視し、該電流値が０であることを検知すると、検知信号を取り外し監視制御部６４へ送る。ここで、電流値が０になる場合とは、検出配線部５０ｄが分断した場合であり、具体的には、基板ケース２０がケースホルダー３０から取り外されたことで、凸部用端子５１１と凹部用端子５２１、凸部用端子５１２と凹部用端子５２２がそれぞれ離間した場合と、固定ピン９０が脱離したことで開口用端子５１５、５１６とピン用端子５４が離間した場合が該当する。このことから、取り外し検知部６２は、検出配線部５０ｄに流れる電流の値を監視することで、基板ケース２０を不正に取り外す行為や固定ピン９０を不正に破壊する行為を検出できる。
なお、取り外し検知部６２は、第一〜第三実施形態における取り外し検知部６２と同様、検出配線部５０ｄが一箇所でも分断し、これに流れる電流の値が０になったことを検知する。よって、検出配線部５０ｄにおける凸部用端子５１１と凹部用端子５２１との間、凸部用端子５１２と凹部用端子５２２との間、開口用端子５１５、５１６とピン用端子５４との間のいずれか一箇所でも離間したときに、その電流値が０となったことを検知して、基板ケース２０の取り外し又は固定ピン９０の破壊を検出することができる。
【００６６】
以上のような構成を備えることにより、本実施形態の制御ユニット及び遊技機は、固定ピン９０に付設されたピン用端子５４が検出配線部５０ｄの一部を構成していることから、この固定ピン９０を、検出配線部５０ｄのループ形状を形成する最終投入スイッチとして用いることができる。
例えば、遊技機の製造工場又は遊技場において遊技機の点検を行い、その後の組み立て作業において、基板ケース２０をケースホルダー３０に装着する際に、調整のために装着と脱離とを繰り返すことがあるが、このときに基板ユニット監視回路５０が作動していると、その脱離した回数が検出されて、不正行為が複数回発生したものと誤認されるおそれがある。そこで、検出配線部５０ｄの動作をＯＮ・ＯＦＦするスイッチとして固定ピン９０を採用し、組み立て作業の際には、固定ピン９０を基板ケース２０に係合しない状態にしておくことで、検出配線部５０ｄをＯＦＦ状態にして、基板ケース２０の脱離回数をカウントしないようにする。そして、ケースホルダー３０への基板ケース２０の装着が完了すると、基板ケース２０の開口部２４に固定ピン９０を挿通し、検出配線部５０ｄをループ状に形成してＯＮ状態にし、この時点から不正行為の検出動作を開始させるようにする。これにより、組み立て段階における基板ケース２０の脱離回数を不正行為として検出する誤認動作を回避するとともに、固定ピン９０を開口部２４へ挿通して基板ケース２０をケースホルダー３０に脱抜不能に固定した後に発生した不正行為を確実に検出することができる。
【００６７】
以上、本発明の制御ユニット及び遊技機について、好ましい実施形態を示して説明したが、本発明に係る制御ユニット及び遊技機は、上述した実施形態にのみ限定されるものではなく、本発明の範囲で種々の変更実施が可能であることはいうまでもない。
例えば、上述した実施形態では、基板ユニット監視回路を搭載した制御基板ユニットをスロットマシンに適用したが、スロットマシンに限るものではなく、パチンコ機、アレンジボール、雀球などの様々な遊技機に適用することができる。
また、上述した実施形態では、外設部材又は付設部材の例として設定キーユニットを挙げたが、これに限るものではなく、基板ケースやケースホルダーに付設される一又は二以上の部材を外設部材又は付設部材とし、これらに検出配線部を構成する配線や端子等を配設して、該外設部材又は付設部材の取り外しを検出するようにすることができる。
【００６８】
さらに、上述した実施形態では、検出配線部に用いられる凹部用端子や凸部用端子として、金属板を鉤状などに形成した端子を用いることを想定しているが、これに限るものではなく、例えば、発光素子と受光素子、フォトインタラプタと遮蔽板、誘導コイルなどを用いることもできる。
また、上述した実施形態では、検出配線部を構成する接続配線として一般的なジャンパー線やリード線（被覆銅線）を用いることを想定しているが、これに限るものではなく、例えば、光ファイバなどを用いることもできる。この場合、取り外し検知部は、発光部と受光部とを備え、発光部から発した光を光ファイバに伝送させ、その光が受光部に帰還したか否かを監視することで、不正行為を検知する。
【００６９】
なお、本発明の制御ユニット及び遊技機は、第一実施形態〜第四実施形態のそれぞれにおける検出配線部の構成を任意に組み合わせたものであってもよい。
例えば、図１６に示すように、制御基板ユニット１０が設定キーユニット８０と固定ピン９０の両方を備え、基板ユニット監視回路５０の検出配線部５０ｅが、基板ケース２０とケースホルダー３０と設定キーユニット８０と固定ピン９０とに亘って配設される構成とすることができる。この場合、検出配線部５０ｅは、基板ケース２０に配設されるケース用配線５１と、ケースホルダー３０に配設されるホルダー用配線５２と、設定キーユニット８０に配設されるキー用配線５３と、固定ピン９０に配設されるピン用端子５４とを有している。そして、ケース用配線５１は、凸部用端子５１１と開口用端子５１５とを接続する接続配線５１３と、開口用端子５１６とガイド用端子５１７とを接続する接続配線５１４ａと、ガイド用端子５１８と凸部用端子５１２とを接続する接続配線５１４ｂとを有している。検出配線部５０ｅをこのような構成とすることにより、監視基板６０は、基板ケース２０がケースホルダー３０から不正に取り外されたこと、設定キーユニット８０が基板ケース２０から不正に取り外されたこと、基板ケース２０に対する固定ピン９０の係止が解除されたことのいずれについても検出することができる。また、固定ピン９０は、第四実施形態における固定ピン９０と同様、検出配線部５０ｅにおける最終投入スイッチとして機能させることができる。
【産業上の利用可能性】
【００７０】
本発明は、制御基板が収納された基板ケースを備える遊技機に広く利用することができる。
【符号の説明】
【００７１】
１  遊技機（スロットマシン）
１０  制御基板ユニット
１１  主基板
２０  基板ケース
２３  係合凸部
２４  開口部
２５１  ガイド部
３０  ケースホルダー
３１２（３１２−１、３１２−２）  係合凹部
５０  基板ユニット監視回路
５０ａ、５０ｂ、５０ｃ、５０ｄ、５０ｅ  検出配線部
５１  ケース用配線
５１１、５１２  凸部用端子
５１５、５１６  開口用端子
５１７、５１８  ガイド用端子
５２  ホルダー用配線
５２１、５２２  凹部用端子
５３  キー用配線
５３１、５３２  キー用端子
５４  ピン用端子
６０  監視基板
６２  取り外し検知部
６３  電波時計
６４  取り外し監視制御部
６５  カウント表示部
６６  ランプ表示部
６７  記憶部
６８  補助電池
８０  設定キーユニット
８４  ガイドリブ
９０  固定ピン
【図１】
2012139250.tif 000003
【図２】
2012139250.tif 000004
【図３】
2012139250.tif 000005
【図４】
2012139250.tif 000006
【図５】
2012139250.tif 000007
【図６】
2012139250.tif 000008
【図７】
2012139250.tif 000009
【図８】
2012139250.tif 000010
【図９】
2012139250.tif 000011
【図１０】
2012139250.tif 000012
【図１１】
2012139250.tif 000013
【図１２】
2012139250.tif 000014
【図１３】
2012139250.tif 000015
【図１４】
2012139250.tif 000016
【図１５】
2012139250.tif 000017
【図１６】
2012139250.tif 000018